(57)【要約】【課題】プリント配線板（２０）のための電気的な接続装置であって、絶縁されたケーシング（２）が複数のスリーブ（６）から形成され、その内部に配置された電気的なコンタクト（８）を有し、該コンタクト（８）が差込み側（３）と接続側（４）とを有し、比較的に高い電気的な電圧値で負荷される形式のものにおいて、プリント配線板（２０）の上に配置された、継続する導体路と差込み部分（１）における電気的なコンタクト（８）のろう付け点（２２）との間の弧絡電圧を回避すること。【解決手段】複数の室（１３）を有する係止エレメント（１０）が設けられており、該係止エレメント（１０）の室壁（１２）が、プリント配線板（２０）に設けられたスリット（２３）内へ挿入可能であって、前記室が前記差込み部分におけるそれぞれ１つの電気的なコンタクトのろう付け点を取囲んでいること。【選択図】図５
2007123899.tif 000002
【特許請求の範囲】
【請求項１】
プリント配線板のための電気的な接続装置であって、絶縁されたケーシングが複数のスリーブから形成され、その内部に配置された電気的なコンタクトを有し、該コンタクトが差込み側と接続側とを有している差込み部分から成る形式のものにおいて、前記電気的なコンタクト（８）の前記接続側（４）が、該接続側（４）から前記差込み部分の前記スリーブ（６）の上に被せ嵌め可能な係止エレメント（１０）の個別の室（１３）内へ少なくとも部分的に侵入することを特徴とする、プリント配線板のための電気的な接続装置。
【請求項２】
前記係止エレメント（１０）の個別の前記室（１３）が底板（１１）に垂直に一体成形された室壁（１２）によって形成されている、請求項１記載の接続装置。
【請求項３】
前記係止エレメント（１０）が前記室壁（１２）で、プリント配線板（２０）における適当に成形されたスリット（２３）内に挿入可能でかつ係止フック（１６）で係止可能である、請求項１又は２記載の接続装置。
【請求項４】
前記差込み部分（１）が前記係止エレメント（１０）で、係止装置（９，１７）を介してプリント配線板（２０）の上に固定可能である、請求項１から３までのいずれか１項記載の接続装置。
【発明の詳細な説明】
【技術分野】
【０００１】
本発明はプリント配線板のための電気的な接続装置であって、絶縁されたケーシングが複数のスリーブから形成され、その内部に配置された電気的なコンタクトを有し、該コンタクトが差込み側と接続側とを有している差込み部分から成る形式のものに関する。
【０００２】
このような接続装置は、差込み部分のケーシング内で比較的に接近して並べて配置された、高められた電圧値で負荷される電気的なコンタクトのために、弧絡電圧に対するより大きな空間及び沿面距離を達成するために必要とされる。この場合には同時にプリント配線板の上の直接的な差込み領域において高められた電圧強度が保証されるようにもしたい。
【背景技術】
【０００３】
ＥＰ１２８９０７５号明細書からは、高い電圧強度を有する弾性的な絶縁材料から成る絶縁及びシールエレメントを有する差込みコネクタであって、該差込みコネクタが差込みコネクタケーシングの底に配置されかつ電気的なコンタクトのための貫通開口を備えている形式のものが公知である。
【特許文献１】ＥＰ１２８９０７５号明細書
【発明の開示】
【発明が解決しようとする課題】
【０００４】
本発明の課題はプリント配線板の上の差込みコネクタのための接続装置を改良して、プリント配線板に伝達されるべきより高い電圧を利用した場合に、導電体路の間の弧絡電圧を回避するために、電気的なコンタクトから継続する導体路へ十分な安全間隔が与えられるようにすることである。
【課題を解決するための手段】
【０００５】
本発明の課題は電気的なコンタクトの接続側が少なくとも部分的に、差込み部分のスリーブの上に接続側から被せ嵌められた係止エレメントの個別の室に侵入していることによって解決された。
【０００６】
本発明の有利な構成は請求項２−４までに記載してある。
【発明の効果】
【０００７】
差込み部分と係止エレメントとから構成された本発明による接続装置はプリント配線板に不動に結合され、電気的なコンタクトあたり約４５０Ｖである比較的に高い電圧のために、対応接続路との直接的な電気的な接続を行なうために設けられている。本発明によって達成された利点は特に、個別の室を備えた係止エレメントによって、少なくとも領域的に、差込み部分の絶縁体に配置された電気的なコンタクトが取囲まれ、同時に、プリント配線板の上の導体路と電気的なコンタクトとを接続するろう付け点の隔離が保証されることにある。
【０００８】
差込み部分は電気的に絶縁する材料から成り、かつこの場合には正方形の保持板を有し、該保持板内に複数のスリーブが挿入されるか又は一体成形され、該スリーブに電気的なコンタクトが挿入され、該コンタクトが片側では、差込み可能なピンとしてかつ他方の側ではろう付けピンとして前記スリーブから引出されている。ろう付けピンの側で差込み部分はプリント配線板の実装側に載置されるので、電気的なコンタクトが孔に差込まれかつ背面側（ろう付け側）のろう付け点にろう付けされることができる。次いで室を形成する室壁で係止エレメントがろう付け側からそのためにプリント配線板に設けられたスリットに挿入されるので、室壁は電気的なコンタクトの領域を保持板の上側同様下側でも取囲み、特に個々のろう付け点を隔離する。この場合、それぞれ外へ向いた領域は露出している。
【０００９】
さらにこの場合には付加的に差込み部分と係止エレメントとの間に係止結合装置を配置し、差込み部分の上もしくは電気的なコンタクトに作用する−引っ張り又は剪断−が係止結合装置を介してプリント配線板に向けられ、プリント配線板の上のろう付け点にかかる負荷が除かれるようにすることもできる。
【発明を実施するための最良の形態】
【００１０】
以下、本発明の１実施例を図面に基づき詳細に説明する。
【００１１】
図１には概略図で、プリント配線板２０の上に取り付けるための電気的な差込み部分１が示されている。
【００１２】
差込み部分１は絶縁材料から製作された保持板５と該保持板５に一体成形されたスリーブ６とを有している。スリーブ６は差込み側３とこの場合にはろう付け側として構成された接続側４とを有する電気的なコンタクト８を受容する。保持板５はスリーブ６に対し垂直にかつスリーブ長さの中央に配置されている。さらにそれぞれ外側のスリーブ６にはスペーサ７が一体成形されている。このスペーサ７はスリーブ６とプリント配線板２０との間に最小間隔を保証する。
【００１３】
図２には等長脚の十字形の底板１１と垂直に立体的に配向されて一体成形された室壁１２とを有する係止エレメント１０の１実施例が示されている。この場合には全部で４つの室１３が構成され、その内の３つは立方体形にかつ１つは直方体形に形成されている。この場合、直方体形の室は２つの立方体形の室の大きさを有している。この室の特異性はそれぞれ外へ向いた面が壁によって制限されておらず、開放していることである。同様に外へ位置するコーナ領域は２面が開放している。図面にて水平に配置された室壁には係止フック１６が一体成形されている。この係止フック１６で係止エレメント１０はプリント配線板２０に挿入されたあとで係止可能である。この場合、係止フック１６に接続したウェブ１５は係止エレメント１０を不動に配置するために設けられている。
【００１４】
図３には複数の孔２１が配置され、該孔２１の間に直角に配向されたスリット２３が形成されているプリント配線板２０が示されている。この場合には、差込み部分１の電気的なコンタクトのろう付け側４をろう付けするための接続点として設けられたろう付け点２２を有する８つの孔２１が設けられている。通常、ろう付け点２２と接続された導体路はここに示されていない。しかし、各ろう付け又は接続点２２がこの場合にはスリット２３によって近隣のろう付け又は接続点２２から分離されていることは見て取れる。
【００１５】
図４にはプリント配線板２０のろう付け側に対する主たる視野方向で見た概略図で、スリット２３に挿入された係止エレメント１０と、ろう付け点２２の孔２１に挿入されたケーシング２を有する差込み部分１とが示されている。この場合、電気的なコンタクト８のろう付け又は接続側４はすでにろう付け側で孔２１を通ってプリント配線板２０から突出している。この場合には、十字の端部側はそれぞれ開放面を有しているが、すべてのろう付け点２２もしくはコンタクト８は電気的に絶縁されると共に視覚的にも互いに分離されていることが判る。
【００１６】
図５には側面図でプリント配線板２０の上側（ここでは左側）に配置された差込部分１とプリント配線板２０の下側（ここでは右側）で室壁１２がスリット２３に挿入された係止エレメント１０とが示されている。コーナのスリーブ６の外側にはスペーサ７が一体成形されている。このスペーサ７は保持板５から発し、プリント配線板２０からのスリーブ６の最小間隔を保証する。
【００１７】
図６には大きく拡大した図で図５の１部分が示されている。この場合にはそれぞれ個別に係止エレメント１０の個々の室１３内に配置されたスリーブ６がその中にある電気的なコンタクト８の電気的な接続側４と共に示されている。室壁１２はスリット２３に挿入されている。この場合には係止フック１６の１つが示されており、この係止フック１６で係止エレメント１０はスリット２３を通してスライドさせられた場合にプリント配線板２０の実装側に係止される。
【図面の簡単な説明】
【００１８】
【図１】差込み部分の斜視図。
【図２】係止エレメントの斜視図。
【図３】ろう付け点を有する、スリットの切られたプリント配線板の正面図。
【図４】プリント配線板に取付けられた差込み部分を係止エレメントと共に示した図。
【図５】差込み部分と係止エレメントとを別の方向から見た図。
【図６】取付けられた係止エレメントを差込み部分と共に示した詳細図。
【符号の説明】
【００１９】
１  差込み部分
２  ケーシング
３  差込み側
４  接続側／ろう付け側
５  保持板
６  コンタクトのためのスリーブ
７  スペーサ
８  電気的なコンタクト
９  係止溝
１０  係止エレメント／絶縁体
１１  底板
１２  室壁
１３  室
１４  開放側
１５  ウェブ
１６  係止フック
１７  係止突起
２０  プリント配線板
２１  孔
２２  ろう付け点
２３  スリット
【図１】
2007123899.tif 000003
【図２】
2007123899.tif 000004
【図３】
2007123899.tif 000005
【図４】
2007123899.tif 000006
【図５】
2007123899.tif 000007
【図６】
2007123899.tif 000008